(57)【要約】【課題】取付が簡単で種々の既存のシャワーフックにも取り付けられるシャワーフック取付補助具を提供する。【解決手段】本発明に係るシャワーフック取付補助具１は、既存のシャワーフック３に着脱可能に取り付けられて新たなシャワーフックとしての機能を有する共に物品を載置できる機能を有するシャワーフック取付補助具１であって、シャワーフック部５を備え物品を載置できる物品載置部材７と、物品載置部材７の下面に着脱可能に取り付けられると共に既存のシャワーフック３に挿入されて物品載置部材７を支持する挿入支持部材９と、挿入支持部材９を物品載置部材７の下面に着脱可能に取り付ける取付機構１１と、下部が末広がりとなるように挿入支持部材９に着脱可能に取り付けられ、取付状態で挿入支持部材９の周面から外方に出っ張る板状の支持板部材１３とを備えたことを特徴とするものである。【選択図】  図１
2018123476.tif 000002
【特許請求の範囲】
【請求項１】
既存のシャワーフックに着脱可能に取り付けられて新たなシャワーフックとしての機能を有する共に物品を載置できる機能を有するシャワーフック取付補助具であって、
シャワーフック部を備え物品を載置できる物品載置部材と、該物品載置部材の下面に着脱可能に取り付けられると共に前記既存のシャワーフックに挿入されて前記物品載置部材を支持する挿入支持部材と、該挿入支持部材を前記物品載置部材の下面に着脱可能に取り付ける取付機構と、下部が末広がりとなるように前記挿入支持部材に着脱可能に取り付けられて取付状態で前記挿入支持部材の周面から外方に出っ張る板状の支持板部材とを備えたことを特徴とするシャワーフック取付補助具。
【請求項２】
前記取付機構は、前記物品載置部材の下面に形成されて、奥行き方向に延びる一対のスライド溝と、前記物品載置部材の下面に設けられ複数の凸部からなる係止凸部と、前記挿入支持部材の上部に設けられて前記スライド溝に挿入可能なスライド片部と、該スライド片部に設けられて前記係止凸部に係止して該スライド片部の位置決めを行う係止位置決片とを備えてなることを特徴とする請求項１記載のシャワーフック取付補助具。
【請求項３】
前記挿入支持部材は、上下に延びるスリット部を有し、前記支持板部材は該スリット部に挿入されて前記挿入支持部材に装着されることを特徴とする請求項１又は２に記載のシャワーフック取付補助具。
【請求項４】
前記挿入支持部材は、既存のシャワーフックに挿入されたときに該シャワーフックの孔壁との干渉をさけるための凹陥部が設けられていることを特徴とする請求項１乃至３のいずれか一項に記載のシャワーフック取付補助具。
【発明の詳細な説明】
【技術分野】
【０００１】
本発明は、既存のシャワーフックに着脱可能に取り付けられて新たなシャワーフックとしての機能を有すると共に石鹸等を載置するトレイ等としても機能するシャワーフック取付補助具に関する。
【背景技術】
【０００２】
既存のシャワーフックは径や形状が種々であるため、シャワーフック取付補助具における既存のシャワーフックに挿入する部分は種々のものに挿入可能であり、かつ取付状態でトレイ等の物品を載置する部分が水平で、かつ、ぐらつきなく保持されることが要求される。
このような要求を満たすものとして、例えば特許文献１に開示された「シャワーヘッド掛け補助具」がある。
【０００３】
このシャワーヘッド掛け補助具は、トレイの下面に移動可能に設けられてシャワーフックに挿入される円錐状の嵌合凸部と、トレイの背面側に形成された一対の当接支持部とを有し、シャワーフックに嵌合凸部を挿入した状態で当接支持部を浴室の壁に当接させることによって３点支持によってトレイを支持するようになっている。
【先行技術文献】
【特許文献】
【０００４】
【特許文献１】特許第３５２６６１８号公報
【発明の概要】
【発明が解決しようとする課題】
【０００５】
特許文献１のものは、嵌合凸部とトレイに設けた一対の当接支持部の３点支持を前提としているため、嵌合凸部をシャワーフックに挿入した状態でトレイを壁側に移動させて一対の当接支持部が浴室の壁に当接するように位置調整を行う必要がある。しかも、位置調整した後の固定はトレイの下面側でネジ固定する必要があり作業が煩雑である。もちろん、トレイの位置調整をした状態で嵌合凸部をシャワーフックから取り外してネジ固定することも可能ではあるが、少しでも位置がずれると３点支持ができずトレイが斜めになったりする。
このように、特許文献１に開示されたシャワーヘッド掛け補助具は取付時の作業が煩雑であるという問題がある。
【０００６】
本発明はかかる課題を解決するためになされたものであり、取付が簡単で種々のシャワーフックにも取り付けられるシャワーフック取付補助具を提供することを目的としている。
【課題を解決するための手段】
【０００７】
（１）本発明に係るシャワーフック取付補助具は、既存のシャワーフックに着脱可能に取り付けられて新たなシャワーフックとしての機能を有する共に物品を載置できる機能を有するものであって、
シャワーフック部を備え物品を載置できる物品載置部材と、該物品載置部材の下面に着脱可能に取り付けられると共に前記既存のシャワーフックに挿入されて前記物品載置部材を支持する挿入支持部材と、該挿入支持部材を前記物品載置部材の下面に着脱可能に取り付ける取付機構と、下部が末広がりとなるように前記挿入支持部材に着脱可能に取り付けられて取付状態で前記挿入支持部材の周面から外方に出っ張る板状の支持板部材とを備えたことを特徴とするものである。
【０００８】
（２）また、上記（１）に記載のものにおいて、前記取付機構は、前記物品載置部材の下面に形成されて、奥行き方向に延びる一対のスライド溝と、前記物品載置部材の下面に設けられ複数の凸部からなる係止凸部と、前記挿入支持部材の上部に設けられて前記スライド溝に挿入可能なスライド片部と、該スライド片部に設けられて前記係止凸部に係止して該スライド片部の位置決めを行う係止位置決片とを備えてなることを特徴とするものである。
【０００９】
（３）また、上記（１）又は（２）に記載のものにおいて、前記挿入支持部材は、上下に延びるスリット部を有し、前記支持板部材は該スリット部に挿入されて前記挿入支持部材に装着されることを特徴とするものである。
【００１０】
（４）また、上記（１）乃至（３）のいずれかに記載のものにおいて、前記挿入支持部材は、既存のシャワーフックに挿入されたときに該シャワーフックの孔壁との干渉をさけるための凹陥部が設けられていることを特徴とするものである。
【発明の効果】
【００１１】
本発明のシャワーフック取付補助具においては、シャワーフック部を備え物品を載置できる物品載置部材と、該物品載置部材の下面に着脱可能に取り付けられると共に前記既存のシャワーフックに挿入されて前記物品載置部材を支持する挿入支持部材と、該挿入支持部材を前記物品載置部材の下面に着脱可能に取り付ける取付機構と、下部が末広がりとなるように前記挿入支持部材に着脱可能に取り付けられて取付状態で前記挿入支持部材の周面から外方に出っ張る板状の支持板部材とを備えたことにより、種々の既存のシャワーフックに簡単に着脱可能に取り付けられ、新たなシャワーフックとしての機能を有すると共に物品を載置できる機能を有するという効果が得られる。
【図面の簡単な説明】
【００１２】
【図１】本発明の一実施の形態に係るシャワーフック取付補助具の斜視図である。
【図２】図１に示したシャワーフック取付補助具の分解斜視図である。
【図３】図１に示したシャワーフック取付補助具を構成する部品の斜視図である。
【図４】図１に示したシャワーフック取付補助具の作用を説明する説明図である（その１）。
【図５】図１に示したシャワーフック取付補助具の作用を説明する説明図である（その２）。
【図６】図１に示したシャワーフック取付補助具の作用を説明する説明図である（その３）。
【図７】図１に示したシャワーフック取付補助具の作用を説明する説明図である（その４）。
【図８】図１に示したシャワーフック取付補助具の作用を説明する説明図である（その５）。
【図９】図１に示したシャワーフック取付補助具の作用を説明する説明図である（その６）。
【図１０】図１に示したシャワーフック取付補助具の作用を説明する説明図である（その７）。
【図１１】図１に示したシャワーフック取付補助具の作用を説明する説明図である（その８）。
【図１２】本発明の一実施の形態に係るシャワーフック取付補助具の他の態様の斜視図である。
【発明を実施するための形態】
【００１３】
本発明の一実施の形態に係るシャワーフック取付補助具１は、既存のシャワーフック３に着脱可能に取り付けられものであり、図１、図２に示すように、シャワーフック部５を備えた物品載置部材７と、物品載置部材７の下面に着脱可能に取り付けられると共に既存のシャワーフック３に挿入されて物品載置部材７を支持する挿入支持部材９と、挿入支持部材９を物品載置部材７の下面に着脱可能に取り付ける取付機構１１と、挿入支持部材９に着脱可能に取り付けられて取付状態で挿入支持部材９の周面から外方に出っ張る板状の支持板部材１３とを備えている。
各構成を詳細に説明する。
【００１４】
＜既存のシャワーフック＞
既存のシャワーフック３は、その孔部の壁（以下、孔壁）の形状（傾斜）や孔径は種々のものがあるが、基本形状を共通しており、例えば図２に示すように平面視において前方が開放されたＣ字形状に形成されている。
本発明はこのような形状の既存のシャワーフック３に着脱可能に取り付けられるものである。
【００１５】
＜物品載置部材＞
物品載置部材７は、シャワーフックとして機能を有する共に石鹸等を載置できるトレイ等としての機能を有するものである。
【００１６】
物品載置部材７は平面視で矩形の有底枠形状をしており、前辺部にはシャワーフックとして機能するシャワーフック部５が形成されている。
物品載置部材７の下面には、挿入支持部材９が着脱可能に取り付けられる。そのため、物品載置部材７の下面には、本発明の取付機構１１の構成の一部である、奥行き方向に延びる一対のスライド溝１５と、一対のスライド溝１５の間に設けられ複数の筋状の凸部からなる係止凸部１７が形成されている。
【００１７】
＜挿入支持部材＞
挿入支持部材９は、物品載置部材７の下面に着脱可能に取り付けられるスライド片部１９と、既存のシャワーフック３に挿入される下方が縮径した円錐形状のコーン部２１を有している（図３参照）。
コーン部２１は、背面側に上下に延びるスリット部２３を有しており、スリット部２３には、支持板部材１３が装着される。
コーン部２１には、既存のシャワーフック３に挿入されたときに既存のシャワーフック３の孔内壁に干渉する（あたる）のを避けるための凹陥部２５が設けられている。
【００１８】
＜取付機構＞
取付機構１１は、コーン部２１を物品載置部材７の下面に着脱可能に取り付けるものであり、物品載置部材７の下面に形成されて、物品載置部材７の奥行き方向に延びる一対のスライド溝１５と、物品載置部材７の下面におけるスライド溝１５の間に設けられ複数の筋状の凸部からなる係止凸部１７と、コーン部２１の上面に設けられてスライド溝１５に挿入可能なスライド片部１９と、スライド片部１９に設けられて係止凸部１７に係止してスライド片部１９の位置決めを行う係止位置決片２７とを備えてなる。
【００１９】
＜支持板部材＞
支持板部材１３は、下部が末広がりの板状の部材であって、コーン部２１に着脱可能に取り付けられ、取付状態では、図３に示すように、下部がコーン部２１の周面から外方に出っ張る。
支持板部材１３の上端部には位置決めする位置決凸部２９が形成されている。
【００２０】
上記のように構成されたシャワーフック取付補助具１を既存のシャワーフックに取り付ける取付方法を説明する。
既存のシャワーフックが孔径が大きく傾斜も大きいシャワーフック（大）３Ａの場合には、支持板部材１３をコーン部２１のスライド溝１５に装着し、装着した状態でコーン部２１を既存のシャワーフック３の孔部に挿入する。このとき、側面図である図４、正面図である図５に示すように、コーン部２１の上部の周壁がシャワーフック３の孔壁に当接して支持されると共に、底面図である図６に示すように、支持板部材１３の後辺側が孔壁に当接してコーン部２１を背面側から支持する。このように、コーン部２１の上部と支持板部材１３の背面がシャワーフック（大）３Ａの孔壁で支持されることで、挿入支持部材９はほぼ垂直な姿勢に保持され、図４に示すように、スライド片部１９は水平状態になる。
【００２１】
この状態で、物品載置部材７のスライド溝１５をスライド片部１９の両側部に位置合わせして、物品載置部材７を挿入支持部材９に向け、物品載置部材７の背面が浴室の壁面に当接するまで押し込む。これによって、物品載置部材７は水平状態で挿入支持部材９に取り付けられる。このとき、係止位置決片２７が係止凸部１７に係止して物品載置部材７の自由な移動を規制している。
【００２２】
シャワーフック（大）３Ａに支持板部材１３を装着しないコーン部２１を挿入すると、コーン部２１の背面側を支持するものがないので、図７のようにコーン部２１が前傾する。このとき、図９に示すように、コーン部２１の背面側が孔壁に当接している。コーン部２１が前傾すると、スライド片部１９も斜め前に傾斜するため（図７、図８参照）、この状態で物品載置部材７を装着すると前側に傾斜した状態になる。
【００２３】
上記の説明から分かるように、支持板部材１３は、孔径が大きく前方への傾斜が大きいシャワーフック（大）３Ａに用いることで、挿入支持部材９を水平状態に保持するように機能する。
他方、孔径が小さく傾斜も小さいシャワーフック（小）３Ｂの場合には、支持板部材１３を用いない場合もある。この場合には、側面図である図１０に示すように、挿入支持部材９は垂直な姿勢を保持しており、底面図である図１１に示すように、コーン部２１の背面が孔壁に当接している。
【００２４】
以上のように、本実施の形態のシャワーフック取付補助具１によれば、挿入支持部材９によって既存のシャワーフック３にほぼ垂直な姿勢に保持されるので、特許文献１のようにシャワーフックに挿入される嵌合凸部とこれに対して移動可能なトレイとの３点支持するもののように、トレイの位置決め等の煩雑な操作が不要であり、簡単に既存のシャワーフック３に取り付けることができる。
【００２５】
なお、物品載置部材７の形状は特に限定されず、図１２に示すように仕切りが多く、背面側の形状が凹凸していてもよい。
また、上記の実施の形態では物品載置部材７としてトレイ型のものを例示したが、物品載置部材７における物品を載置する部位は底面を有する必要はなく、例えばシャワーフックのようにリング状に形成されて物品を挿入状態で載置（保持）するようなものを含む。
このように、本発明のシャワーフック取付補助具１は、その姿勢を正しく保持するのに物品載置部材７の背面側を浴室の壁面に当接させることを必須としておらず、物品載置部材７の形状の自由度が高い。
【００２６】
また、上記の実施の形態では挿入支持部材９としてコーン部２１を有するものを例示したが、コーン部２１に相当する部位は必ずしも円錐形状である必要はなく、挿入状態でその上部が既存のシャワーフック３の孔壁に当接できて、かつ支持板部材１３を着脱可能に取り付けられる形状であればよい。
【符号の説明】
【００２７】
１  シャワーフック取付補助具
３  既存のシャワーフック
３Ａ  シャワーフック（大）
３Ｂ  シャワーフック（小）
５  シャワーフック部
７  物品載置部材
９  挿入支持部材
１１  取付機構
１３  支持板部材
１５  スライド溝
１７  係止凸部
１９  スライド片部
２１  コーン部
２３  スリット部
２５  凹陥部
２７  係止位置決片
２９  位置決凸部
【図１】
2018123476.tif 000003
【図２】
2018123476.tif 000004
【図３】
2018123476.tif 000005
【図４】
2018123476.tif 000006
【図５】
2018123476.tif 000007
【図６】
2018123476.tif 000008
【図７】
2018123476.tif 000009
【図８】
2018123476.tif 000010
【図９】
2018123476.tif 000011
【図１０】
2018123476.tif 000012
【図１１】
2018123476.tif 000013
【図１２】
2018123476.tif 000014